(57)【要約】【課題】情報表示システムにおいて、操作が簡単で且つ短時間に希望する映像に切換えられ、使い勝手の優れたものとすること。【解決手段】映像を表示するメイン表示部１ａを有するモニター１と、映像を表示する手元表示部２ａを有するリモコン２とを備える。リモコン２は、受信した複数の映像情報に基づいて手元表示部２ａの複数画面にそれぞれ映像を表示すると共に、複数画面に表示された少なくとも一つの映像を選択可能とする機能を備える。モニター１はリモコン２で選択された映像と同じ映像をメイン表示部１ａに表示する機能を備える。【選択図】　図２
2004096606.tif 000002
【特許請求の範囲】
【請求項１】
映像を表示するメイン表示部を有するモニターと、
映像を表示する手元表示部を有するリモコンとを備え、
前記リモコンは、受信した複数の映像情報に基づいて前記手元表示部の複数画面にそれぞれ映像を表示すると共に、前記複数画面に表示された少なくとも一つの映像を選択可能とする機能を備え、
前記モニターは前記リモコンで選択された映像と同じ映像を前記メイン表示部に表示する機能を備えた
ことを特徴とする情報表示システム。
【請求項２】
映像を表示するメイン表示部を有するモニターと、
映像を表示する手元表示部を有するリモコンと、
取り込まれた映像情報に基づいて前記モニターおよび前記リモコンに映像を送信するステーションとを備え、
前記リモコンは、前記ステーションから送信された複数の映像を前記手元表示部の複数画面に異なる映像で表示する機能と、前記複数画面に表示された少なくとも一つの映像を選択してその選択情報を前記ステーションに送信する機能とを備え、
前記ステーションは、取り込まれた映像情報を画面に表示可能な内容にして前記リモコンに送信する機能と、前記リモコンから送信された選択情報に基づいて選択された映像と同じ映像を前記モニターに送信する機能とを備え、
前記モニターは前記ステーションから送信された映像を前記メイン表示部に表示する機能を備えた
ことを特徴とする情報表示システム。
【請求項３】
画像を表示するメイン表示部を有するモニターと、
画像を表示する手元表示部を有するリモコンと、
前記モニターおよび前記リモコンに画像を送信するステーションとを備え、
前記リモコンは、前記ステーションから送信された複数の画像を前記手元表示部の複数画面に異なる画像で表示する機能と、前記複数画面に表示された少なくとも一つの画像を選択してその選択情報を前記ステーションに送信する機能とを備え、
前記ステーションは、画像を画面に表示可能な内容にして前記リモコンに送信する機能と、前記リモコンから送信された選択情報に基づいて選択された画像と同じ画像を前記モニターに送信する機能とを備え、
前記モニターは前記ステーションから送信された画像を前記メイン表示部に表示する機能を備えた
ことを特徴とする情報表示システム。
【請求項４】
請求項１または２において、前記ステーションを前記モニターに内蔵して一体的に配置したことを特徴とする情報表示システム。
【請求項５】
請求項１または２において、前記リモコンは前記ステーションの前面傾斜面に形成されたリモコン着脱部を介して着脱可能としたことを特徴とする情報表示システム。
【請求項６】
請求項３において、前記リモコンは前記手元表示部の複数画面に表示された画像を自動的に時間的間隔をおいて順次選択する機能を備え、前記モニターは前記手元表示部で選択された画像と同じ画像を同期して順次表示するように構成したことを特徴とする情報表示システム。
【発明の詳細な説明】
【０００１】
【発明の属する技術分野】
本発明は、情報表示システムに係り、特に、映像または画像を表示するメイン表示部を有するモニターと映像または画像を表示する手元表示部を有するリモコンとを備えた情報表示システムに好適なものである。
【０００２】
【従来の技術】
従来の情報表示システムのメディア選択方法として、特開平９−３２６９７０号公報に開示されているものがある。
【０００３】
この従来例では、ＴＶ放送などリアルタイムに内容が変わる複数の動的メディアの該内容を同時にディスプレイ画面に表示することを指示するための動的メディア内容表示要求画像と記憶媒体に予め記録されている静的メディアのメディア選択画像をそれぞれ表示し、静的メディア選択画像が選択された場合には、静的メディアの出力を行い、動的メディア内容表示要求画像が選択された場合には、各動的メディアの内容を同時に表示し、しかる後、選択された動的メディアの内容のみをディスプレイ画面に表示するようになっている。
【０００４】
従来例をさらに具体的に説明すると、ディスプレイ画面は、メイン画面、映像系動的メディア選択画面、映像系動的メディア視聴画面を有している。また、ディスプレイ画面の上には透明タッチパネルが設けられ、ディスプレイ画面上の位置を入力できるようになっている。メイン画面にはＣＤ、カセットテープ、ミニディスクＭＤ等の静的メディアを示すアイコン（静的メディア選択画像）と映像系動的メディアの集合体を示すホルダーが表示されている。ユーザーがこの映像系動的メディアホルダーを２回タッチすることにより、映像系動的メディア選択画面に表示が遷移する。この映像系動的メディア選択画面には、現在システムが受信可能な全ての放送局で放送中のＴＶ放送内容が一覧形式で表示される。
【０００５】
ディスプレイ画面は、１つの比較的大きな表示領域と、複数の小さな表示領域に分割され、それぞれの表示領域には受信可能な放送局毎の現在の放送内容が割り当てられ、表示が行われる。各放送内容が表示される領域は一定時間毎に矢印方向にローテーションされ、その表示位置が移動する。ユーザーがこの画面を見て、視聴の対象としたい内容が表示されている領域をタッチすることにより、映像系動的メディア視聴画面に遷移する。すなわち、大きな表示領域をタッチすると、該領域に表示されている放送内容が画面一杯に表示される。又、小さな領域をタッチすれば、それぞれの領域に表示されている放送内容が画面一杯に表示される。そして、映像系動的メディア選択画面または映像系動的メディア視聴画面からメイン画面に戻る場合には、画面中の任意の位置を連続して２回タッチすることにより戻ることができるようになっている。
【０００６】
【特許文献１】
特開平９−３２６９７０号公報
【０００７】
【発明が解決しようとする課題】
しかし、上述した従来のメディア選択方法では、現在表示されている映像系動的メディア視聴画面から別の希望する映像系動的メディア視聴画面に変更して表示させる場合に、映像系動的メディア選択画面に一旦戻して希望する映像が表示された表示領域を選択しなければ、希望する映像系動的メディア視聴画面が表示されないため、これらの操作が面倒で且つ時間がかかり、使い勝手が良いものとは言えなかった。
【０００８】
本発明の目的は、操作が簡単で且つ短時間に希望する映像に切換えられ、使い勝手の優れた情報表示システムを提供することにある。
【０００９】
本発明の他の目的は、操作が簡単で且つ短時間に希望する映像または画像に切換えられ、リモコンおよびステーションのそれぞれの制御を簡単にすることができて安価な送情報表示システムを提供することにある。
【００１０】
【課題を解決するための手段】
前記目的を達成するために、本発明は、映像を表示するメイン表示部を有するモニターと、映像を表示する手元表示部を有するリモコンとを備え、前記リモコンは、受信した複数の映像情報に基づいて前記手元表示部の複数画面にそれぞれ映像を表示すると共に、前記複数画面に表示された少なくとも一つの映像を選択可能とする機能を備え、前記モニターは前記リモコンで選択された映像と同じ映像を前記メイン表示部に表示する機能を備えたものである。
【００１１】
前記他の目的を達成するために、本発明は、映像を表示するメイン表示部を有するモニターと、映像を表示する手元表示部を有するリモコンと、取り込まれた映像情報に基づいて前記モニターおよび前記リモコンに映像を送信するステーションとを備え、前記リモコンは、前記ステーションから送信された複数の映像を前記手元表示部の複数画面に異なる映像で表示する機能と、前記複数画面に表示された少なくとも一つの映像を選択してその選択情報を前記ステーションに送信する機能とを備え、前記ステーションは、取り込まれた映像情報を画面に表示可能な内容にして前記リモコンに送信する機能と、前記リモコンから送信された選択情報に基づいて選択された映像と同じ映像を前記モニターに送信する機能とを備え、前記モニターは前記ステーションから送信された映像を前記メイン表示部に表示する機能を備えたものである。
【００１２】
前記他の目的を達成するために、本発明は、画像を表示するメイン表示部を有するモニターと、画像を表示する手元表示部を有するリモコンと、前記モニターおよび前記リモコンに画像を送信するステーションとを備え、前記リモコンは、前記ステーションから送信された複数の画像を前記手元表示部の複数画面に異なる画像で表示する機能と、前記複数画面に表示された少なくとも一つの画像を選択してその選択情報を前記ステーションに送信する機能とを備え、前記ステーションは、画像を画面に表示可能な内容にして前記リモコンに送信する機能と、前記リモコンから送信された選択情報に基づいて選択された画像と同じ画像を前記モニターに送信する機能とを備え、前記モニターは前記ステーションから送信された画像を前記メイン表示部に表示する機能を備えたものである。
【００１３】
【発明の実施の形態】
以下、本発明の複数の実施例を図を用いて説明する。なお、各実施例の図における同一符号は、同一物または相当物を示す。
【００１４】
まず、本発明の第１実施例の情報表示システムの全体構成を図１を参照しながら説明する。
【００１５】
情報表示システムは、映像または画像を表示するメイン表示部１ａを有するモニター１と、映像または画像を複数画面に表示し且つ表示された映像の少なくとも一つを選択可能な手元表示部２ａを有するリモコン２と、複数の映像情報または画像情報を取り込んでモニター１およびリモコン２に送信するステーション３とを備えて構成されている。手元表示部２ａは多数の映像または画像を表示してその映像または画像を手元で容易に視認することができる大きさを有し、具体的には各辺が１０ｃｍ以上の寸法を有している。メイン表示部１ａは、ユーザーが希望する映像または画像を表示して離れたところから容易に視認することができる大きさを有し、具体的には手元表示部２ａの全領域の２倍以上の領域を有している。リモコン２には、メイン表示部１ａの画面におけるカーソル操作のための十字キー２ｂが設けられている。
【００１６】
ステーション３はモニター１に映像または画像を送信可能に接続され、この接続は配線を介して行なわれる。また、ステーション３はリモコン２と送受信可能に接続され、この接続は無線を介して行なわれる。従って、リモコン２はステーション３に送信可能に接続され、この接続はステーション３を介して行なわれる。なお、リモコン２はステーション３に着脱可能となっている。
【００１７】
ステーション３にはアンテナ４が接続され、ＴＶ放送などリアルタイムに内容が変わる複数の映像情報がアンテナ４を通してステーション３に受信される。また、モニター１にはインターネットなどの通信ネットワーク５が接続され、通信ネットワーク５に接続されたサービス提供者６から供給されたＣＡＴＶなどリアルタイムに内容が変わる複数の映像情報が通信ネットワーク５を通してステーション３に受信される。なお、サービス提供者６はコンピュータなどで構成される。さらに、ステーション３には、図示していないが、記録媒体から複数の映像または画像が取り込まれるように構成されている。
【００１８】
次に、本実施例の情報表示システムの具体的な構成を図２を参照しながら説明する。
【００１９】
ステーション３は、放送受信部３ａ、通信部３ｂ、制御部３ｃ、記憶部３ｄ、映像生成部３ｅ、映像生成部３ｆ、ＧＵＩ画像生成部３ｇ、映像合成部３ｈ、映像エンコード部３ｉ、制御信号エンコード部３ｊ、信号合成部３ｋ、制御信号デコード部３ｌ、送受信部３ｍおよび操作ボタン３ｎを備えており、これらの各部は後述するように機能する。
【００２０】
ＴＶ放送などの複数の映像情報は、アンテナ４で受信されて放送受信部３ａに取り込まれ、制御部３ｃで制御されて映像生成部３ｅ、３ｆ、ＧＵＩ画像生成部３ｇおよび制御信号エンコード部３ｊに送出され送出されると共に、記憶部３ｄに格納される。ＣＡＴＶなどの情報は、通信ネットワーク５から通信部３ｂに取り込まれ、制御部３ｃで制御されて映像生成部３ｅ、３ｆ、ＧＵＩ画像生成部３ｇおよび制御信号エンコード部３ｊに送出されると共に、記憶部３ｄに格納される。なお、記憶部３ｄには必要な情報が予め格納されている。
【００２１】
映像生成部３ｅに送出された映像情報（映像信号）は、映像生成部３ｅで映像として生成され、モニター１に送出されてメイン表示部１ａに表示される。
【００２２】
映像生成部３ｆに送出された映像情報（映像信号）は、映像生成部３ｆで映像として生成されて映像合成部３ｈに送出される。ＧＵＩ画像生成部３ｇに送出された情報は、ＧＵＩ画像生成部３ｇでＧＵＩ画像として生成されて映像合成部３ｈに送出される。これらは、映像合成部３ｈで合成された映像として生成され、映像エンコード部３ｉに送信される。
【００２３】
映像エンコード部３ｉに送出された合成映像は、映像エンコード部３ｉでエンコードされて信号合成部３ｋに送出される。制御信号エンコード部３ｊに送出された制御信号（制御情報）は、制御信号エンコード部３ｊでエンコードされて信号合成部３ｋに送出される。これらは、信号合成部３ｋで合成されて送受信部３ｍを通してリモコン２に送信される。
【００２４】
リモコン２からステーション３に送信された制御信号（制御情報）は、送受信部３ｍを通して受信され、制御信号デコード部３ｌに送出されてデコードされ、制御部３ｃに送出される。この制御部３ｃに送出された制御信号に基づいて、制御部３ｃで制御されて選択された映像に係る情報が映像生成部３ｅに送出されて映像として生成される。この生成された映像はメイン表示部１ａに送出され、リモコン２で選択された映像と同じ映像がメイン表示部１ａに表示される。
【００２５】
記憶部３ｄに格納された情報は、制御部３ｃが機能して所定の映像、信号の生成が行なわれる際に利用される。
【００２６】
リモコン２は、手元表示部２ａ、送受信部２ｂ、信号分離部２ｃ、映像デコード部２ｄ、制御信号エンコード部２ｆ、制御部２ｇ、記憶部２ｈ、操作ボタン２ｉ、音声出力部２ｊおよび電源部２ｋを備えている。
【００２７】
ステーション３の送受信部３ｍから送信された合成信号は、リモコン２で受信されて送受信部２ｂに取り込まれ、信号分離部２ｃに送出され映像情報と制御信号とに分離される。分離された映像情報は映像デコード部２ｄでデコードされ、分離された制御信号は制御信号デコード部２ｅでデコードされる。これらは、制御部２ｇで制御されて表示部２ａおよび音声出力部２ｊに出力される。
【００２８】
表示部２ａのタッチパネルで入力された制御信号（映像または画像の選択信号など）は、制御部２ｇで制御され、制御信号エンコード部２ｆに送出されてエンコードされる。このエンコードされた制御信号は、送受信部２ｂを通してステーション３に送信される。
【００２９】
上述したように、リモコン２で行なう処理は無線信号の送受信、映像や制御信号の処理など必要最小限の処理に絞られ、画面に表示する内容の取得や演算処理はステーション３で行なうように構成されている。これにより、シンプルで安価な情報表示システムとすることができる。
【００３０】
次に、本実施例の情報表示システムにおけるステーション３およびリモコン２の具体的な構成を図３から図５を参照しながら説明する。
【００３１】
ステーション３は前面傾斜面３１および背面傾斜面３２を有する山状に形成されている。ステーション３は具体的には全体が横長の略三角柱となっており、安定して配置されると共に、操作性に優れている。前面傾斜面３１はリモコン着脱部３１ａと操作部３１ｂとを有している。リモコン着脱部３１ａは図５で明らかなように上端を開放した凹部で形成され、この凹部内にリモコン２が着脱可能に配置される。これによってリモコン２がステーション３に傾斜して装着されるので、ユーザーがリラックスした状態でメイン表示部１ａの画面を視聴することができると共に、操作性が良好である。この凹部内には電源端子３１ｃが突出して設けられており、リモコン２を凹部内に配置することにより、この電源端子３１ｃがリモコン２の電源端子と接続されてリモコン２に電源が供給されるように構成されている。リモコン着脱部３１ａの一側には電話部３１ｄが設けられており、ステーション３は電話機能を備えている。
【００３２】
操作部３１ｂは、異なる機能を選択するための操作ボタン３ｎが複数設けられている。この操作ボタン３ｎは、具体的には、ＴＶ視聴、電話、画像閲覧、ｗｗｗ閲覧、電子メール送受信、音楽聴取などの機能を選択するボタンを有している。これらの操作ボタン３ｎは、ボタンを押下することにより、電源が自動的に投入されると共に、該当する機能が選択されるように構成されている。これによって、電源未投入時であっても簡単な操作（ワンタッチ操作）で機能を選択することができる。なお、図６に示すように、ステーション３の操作ボタン３ｎの代わりに手元表示部２ａ内にタッチパネル式操作ボタン２ｉを設けるようにしてもよい。
【００３３】
次に、本実施例の情報表示システムを用いた種々の操作方法について図７から図１２を参照しながら説明する。これらの図においては、手元表示部２ａを手元画面、メイン表示部１ａをメイン画面と略して記載してある。
【００３４】
図７を参照しながらＴＶ放送を視聴する場合について説明する。図７（ａ）に示す手元表示部２ａおよびメイン表示部１ａに映像が表示されていない状態からＴＶ放送を視聴するには、まずステーション３のＴＶ操作ボタン３ｎを押下する。これにより、図７（ｂ）に示すように、手元表示部２ａの一部に「ＴＶ」の文字が表示されてＴＶ放送画面であることが認識できると共に、複数の画面（図では９個の画面）にＴＶ放送のそれぞれのチャンネルにおける映像が表示される。ここで所定のチャンネル（例えば前回最後に視聴したチャンネル）の映像の画面がまず自動的に選択されて太枠で囲まれて表示される。その選択された映像と同じ映像がメイン表示部１ａに表示される。このように、第１の操作で機能を選択し、第２の操作で内容（コンテンツ）を選択するという簡単な操作でコンテンツを見ることができる。
【００３５】
メイン表示部１ａの映像を他の映像に切換える場合には、メイン表示部１ａに映像を表示しつつ、手元表示部２ａに表示された複数の画面の映像を確認して希望する映像を例えば図７（ｃ）に示すようにユーザーが選択する。この選択は、希望する映像が表示されている画面の領域をユーザーがタッチすることにより行なわれる。この選択により、手元表示部２ａの選択された画面が太枠で囲まれて表示されると共に、メイン表示部１ａに表示される映像がこの選択された映像と同じ映像に切換えられて表示される。このように、ユーザーは、ワンタッチの操作で、メイン表示部１ａの映像を常に視認することができる状態から異なる映像に容易に切換えられる。
【００３６】
図８を参照しながら画像を閲覧する場合について説明する。図８（ａ）に示す手元表示部２ａおよびメイン表示部１ａに画像が表示されていない状態から画像を閲覧するには、まずステーション３の画像操作ボタン３ｎを押下する。これにより、図８（ｂ）に示すように、手元表示部２ａの一部に「画像」の文字が表示されて画像表示であることが認識できると共に、複数の画面に異なる画像が表示される。ここで所定の画像を表示する画面がまず自動的に選択されて太枠で囲まれて表示される。その選択された画像と同じ画像がメイン表示部１ａに表示される。
【００３７】
他の画像に切換える場合には、メイン表示部１ａに映像を表示しつつ、手元表示部２ａに表示された複数の画面の映像を確認して希望する映像を例えば図８（ｃ）に示すようにユーザーが選択する。この選択は、希望する画像が表示されている画面の領域をユーザーがタッチすることにより行なわれる。この選択により、手元表示部２ａの選択された画面が太枠で囲まれて表示されると共に、メイン表示部１ａに表示される画像がこの選択された画像と同じ画像に切換えられて表示される。このように、ユーザーは、ワンタッチの操作で、メイン表示部１ａの画像を常に視認することができる状態から異なる画像に容易に切換えられる。
【００３８】
そして、図８（ｄ）に示す状態から、ユーザーが手元表示部２ａの「スライドショウ開始」領域にタッチすることにより、選択された画像が図８（ｅ）、図８（ｆ）のように順次切換えられる。これに伴って、メイン表示部１ａに表示される画像が図８（ｄ）〜（ｆ）のように自動的に切換えられて表示される。そして、希望する画像が選択された状態で（例えば図８（ｆ）が選択された状態で）、ユーザーが手元表示部２ａの「スライドショウ開始」領域にタッチすることにより、この状態の選択が維持される。このように、ユーザーは、メイン表示部１ａに自動的に順次表示される画像を閲覧しながら希望する画像を容易に選択して静止画像として閲覧することができる。
【００３９】
図９を参照しながら音楽を楽しむ場合について説明する。図９（ａ）に示す手元表示部２ａおよびメイン表示部１ａの画面に何も表示されていない状態から音楽を楽しむには、まずステーション３の音楽操作ボタン３ｎを押下する。これにより、図９（ｂ）に示すように、手元表示部２ａの一部に「音楽」の文字が表示されて音楽画面であることが認識できると共に、複数の曲目などが表示される。ここで所定の曲目がまず自動的に選択されて太枠で囲まれて表示される。その選択された曲目と同じ曲目の音楽が出力されると共に、歌詞や歌手の映像などがメイン表示部１ａに表示される。
【００４０】
他の曲目に切換える場合には、メイン表示部１ａの表示を維持しつつ、手元表示部２ａに表示された複数の画面の曲目を確認して希望する曲目を例えば図９（ｃ）に示すようにユーザーが選択する。この選択は、希望する曲目が表示されている画面の領域をユーザーがタッチすることにより行なわれる。この選択により、手元表示部２ａの選択された画面が太枠で囲まれて表示されると共に、メイン表示部１ａの音楽の出力および画面表示がこの選択された曲目に合致して切換えられる。このように、ユーザーは、ワンタッチの操作で、メイン表示部１ａの音楽を楽しんでいる状態から異なる音楽に容易に切換えられる。
【００４１】
図１０を参照しながら電子メールを送受信する場合について説明する。図１０（ａ）に示す手元表示部２ａおよびメイン表示部１ａの画面に何も表示されていない状態から電子メールを送受信するには、まずステーション３の電子メール送受信操作ボタン３ｎを押下する。これにより、図１０（ｂ）に示すように、手元表示部２ａの一部に「ｍａｉｌ」の文字が表示されて電子メール画面であることが認識できると共に、複数の電子メールの件名などが表示される。ここで所定の電子メールがまず自動的に選択されて太枠で囲まれて表示される。その選択された電子メールの通信文がメイン表示部１ａに表示される。
【００４２】
他の電子メールに切換える場合には、メイン表示部１ａの表示を維持しつつ、手元表示部２ａに表示された複数の電子メールの件名などを確認して希望する電子メールを例えば図１０（ｃ）に示すようにユーザーが選択する。この選択は、希望する電子メールが表示されている画面の領域をユーザーがタッチすることにより行なわれる。この選択により、手元表示部２ａの選択された電子メールが太枠で囲まれて表示されると共に、この電子メールの通信文がメイン表示部１ａに表示されるように切換えられる。このように、ユーザーは、ワンタッチの操作で、メイン表示部１ａの通信文を常に視認することができる状態から異なる電子メールに容易に切換えられる。
【００４３】
返信する場合には、手元表示部２ａの返信ボタンを押すことにより、図１０（ｄ）に示す返信作成画面が表示される。この画面で返信文を入力して送信ボタンを押すことにより、電子メールの返信が行なわれると共に、図１０（ｅ）に示す元の画面に戻る。これらの操作中において、メイン表示部１ａには常に送信文が表示されているので、返信文の作成が容易に行なうことができる。
【００４４】
図１１を参照しながら電話と留守番記録画機能利用する場合について説明する。図１１（ａ）に示す手元表示部２ａおよびメイン表示部１ａの画面に何も表示されていない状態から電話機能を利用するには、まずステーション３の電話操作ボタン３ｎを押下する。これにより、図１１（ｂ）に示すように、手元表示部２ａの一部に「電話」の文字が表示されて電話画面であることが認識できると共に、受信履歴がます自動的に表示される。この状態ではメイン表示部１ａの画面には何も表示されない。
【００４５】
そして、手元表示部２ａの伝言再生ボタンを押すと、図１１（ｃ）に示すように、メイン表示部１ａに該当する発信者から送信された映像または画像が表示されると共に、音声が出力される。
【００４６】
電話で返事をしたい場合には、図１１（ｄ）に示すように該当する発信者の領域をタッチすると、図１１（ｅ）に示すように電話をかけるかどうかの最終確認ダイアログが表示される。ここで手元表示部２ａの電話ボタンを押すことにより、電話をかけることができると共に、メイン表示部１ａに発信者から送信される映像または画像が表示される。このように、ユーザーは、簡単な操作で、発信者からの映像または画像を見ながら快適に電話をすることができる。
【００４７】
図１２を参照しながらｗｗｗを閲覧する場合について説明する。図１２（ａ）に示す手元表示部２ａおよびメイン表示部１ａの画面に何も表示されていない状態からｗｗｗを閲覧するには、まずステーション３のｗｗｗ操作ボタン３ｎを押下する。これにより、図１２（ｂ）に示すように、手元表示部２ａの一部に「ｗｗｗ」の文字が表示されてｗｗｗ画面であることが認識できると共に、複数のジャンル名などが表示される。ここで所定のジャンル（図示例では「今日のニュース」）がまず自動的に選択されて太枠で囲まれて表示される。その選択されたジャンルの内容がメイン表示部１ａに表示される。
【００４８】
他のジャンルに切換える場合には、メイン表示部１ａの表示を維持しつつ、手元表示部２ａに表示された複数のジャンルを確認して希望するジャンルを例えば図１２（ｃ）に示すようにユーザーが選択する。この選択は、希望するジャンルが表示されている画面の領域をユーザーがタッチすることにより行なわれる。この選択により、手元表示部２ａの選択された電子メールが太枠で囲まれて表示されると共に、このジャンルの内容がメイン表示部１ａに表示されるように切換えられる。このように、ユーザーは、ワンタッチの操作で、メイン表示部１ａの通信文を常に視認しつつ、異なるジャンルの内容に容易に切換えられる。
【００４９】
そして、メイン表示部１ａに表示される内容がリモコン２の十字キー２ｂで選択可能な図１２（ｃ）の場合には、十字キー２ｂにより例えば図１２（ｄ）のように選択することにより、図１２（ｅ）に示すようにメイン表示部１ａに希望する内容が表示される。
【００５０】
次に、本発明の第２実施例を図１３を用いて説明する。この第２実施例は、次に述べる通り第１実施例と相違するものであり、その他の点については第１実施例と基本的には同一である。
【００５１】
この第２実施例は、ステーションをモニター１に内蔵して一体的に配置したものである。図示例では、モニター１の右側に内蔵し、操作ボタン３ｎが露出するようになっている。このようにすれば、ステーションの操作性が低下するが、システムが単純化してコンパクトなものとすることができる。
【００５２】
上述した本実施例によれば、受信した複数の映像情報に基づいて手元表示部２ａの複数画面にそれぞれ映像を表示すると共に、複数画面に表示された少なくとも一つの映像を選択可能とする機能をリモコン２に備え、リモコン２で選択された映像と同じ映像をメイン表示部１ａに表示する機能をモニター１に備えているので、モニター１のメイン表示部１ａに映像を表示しつつ、リモコン２に表示される複数の手元表示部２ａで映像を選択することができる。これによって、操作が簡単で且つ短時間に希望する映像に切換えられる使い勝手の優れた情報表示システムを得ることができる。
【００５３】
また、ステーション３から送信された複数の映像または画像を手元表示部２ａの複数画面に異なる映像または画像で表示する機能と、複数画面に表示された少なくとも一つの映像または画像を選択してその選択情報をステーション３に送信する機能とをリモコン２に備え、取り込まれた映像情報または画像情報を画面に表示可能な内容にしてリモコン２に送信する機能と、リモコン２から送信された選択情報に基づいて選択された映像または画像と同じ映像または画像をモニター１に送信する機能とをステーション３に備え、ステーション３から送信された映像をメイン表示部１ａに表示する機能をモニターに備えているので、リモコン２およびステーション３のそれぞれの制御を簡単にして安価な構成で使い勝手の優れた送情報表示システムとすることができる。
【００５４】
【発明の効果】
本発明によれば、操作が簡単で且つ短時間に希望する映像に切換えられ、使い勝手の優れた情報表示システムを得ることができる。
【００５５】
また、本発明によれば、操作が簡単で且つ短時間に希望する映像または画像に切換えられ、リモコンおよびステーションのそれぞれの制御を簡単にすることができて安価な送情報表示システムを得ることができる。
【図面の簡単な説明】
【図１】本発明の第１実施例の情報表示システムの構成概要図である。
【図２】図１の情報表示システムのブロック構成図である。
【図３】図１の情報表示システムにおけるモニターとステーションの配置例を示す斜視図である。
【図４】図１の情報表示システムに用いるリモコンとステーションとを組み合わせた状態の正面図である。
【図５】図１の情報表示システムに用いるリモコンとステーションとの着脱を説明する斜視図である。
【図６】リモコンの変形例を示す斜視図である。
【図７】図１の情報表示システムにおける画面操作を説明する図である。
【図８】図１の情報表示システムにおける異なる画面操作を説明する図である。
【図９】図１の情報表示システムにおける異なる画面操作を説明する図である。
【図１０】図１の情報表示システムにおける異なる画面操作を説明する図である。
【図１１】本発明の情報表示システムの操作に用いるリモコンの第３実施例の正面図である。
【図１２】図１の情報表示システムにおける異なる画面操作を説明する図である。
【図１３】本発明の第１実施例の情報表示システムの構成概要図である。
【符号の説明】
１…モニター、１ａ…メイン表示部、２…リモコン、２ａ…手元表示部、３…ステーション、４…アンテナ、５…インターネット、６…サービス提供者端末、３１…前面傾斜部、３１ａ…リモコン着脱部、３１ｂ…操作部、３１ｃ…電源端子、３１ｄ…電話部、３２…背面傾斜部。
【図１】
2004096606.tif 000003
【図２】
2004096606.tif 000004
【図３】
2004096606.tif 000005
【図４】
2004096606.tif 000006
【図５】
2004096606.tif 000007
【図６】
2004096606.tif 000008
【図７】
2004096606.tif 000009
【図８】
2004096606.tif 000010
【図９】
2004096606.tif 000011
【図１０】
2004096606.tif 000012
【図１１】
2004096606.tif 000013
【図１２】
2004096606.tif 000014
【図１３】
2004096606.tif 000015